(57)【要約】  【課題】制御部が設けられた空間に滞留する熱を装置外部に排出する。  【解決手段】装置の状態を少なくとも表示する表示部と、この表示部の裏面側にあって前記表示部の表示を制御する制御部と、熱源と、前記制御部と前記熱源とを遮蔽する遮蔽部と、前記制御部と前記遮蔽部とにより形成される空間に接続され、前記制御部に装置外部の空気が流入出可能に形成された開口部とを有する。【選択図】図３
2010139829.tif 000002
【特許請求の範囲】
【請求項１】
装置の状態を少なくとも表示する表示部と、
この表示部の裏面側にあって前記表示部の表示を制御する制御部と、
熱源と、
前記制御部と前記熱源とを遮蔽する遮蔽部と、
前記制御部と前記遮蔽部とにより形成される空間に接続され、前記制御部に装置外部の空気が流入出可能に形成された開口部と、
を有する電子装置。
【請求項２】
前記表示部の裏面側及び前記遮蔽部の表面側の少なくとも一方には、他方に向けて突出する突出部が設けられている請求項1記載の電子装置。
【請求項３】
前記突出部は、前記開口部に対して斜めに形成されている請求項２記載の電子装置。
【請求項４】
前記表示部の裏面側及び前記遮蔽部の表面側の少なくとも一方には、除電布が設けられている請求項1記載の電子装置。
【請求項５】
前記除電布は、接地されている請求項４記載の電子装置。
【請求項６】
前記開口部は、重力方向下向きに開口している請求項１乃至５いずれか記載の電子装置。
【請求項７】
装置の状態を少なくとも表示する表示部と、
この表示部の裏面側にあって前記表示部の表示を制御する制御部と、
少なくとも加熱部からなる定着装置と、
前記制御部と前記定着装置とを遮蔽する遮蔽部と、
前記制御部と前記遮蔽部とにより形成される空間に接続され、前記制御部に装置外部の空気が流入出可能に形成された開口部と、
を有する画像形成装置。
【発明の詳細な説明】
【技術分野】
【０００１】
本発明は、電子装置及び画像形成装置に関する。
【背景技術】
【０００２】
特許文献１は、操作表示部の内部に設けられ、操作表示部を冷却するためのファンを備え、ファンから操作表示部の裏面に形成された通気孔を介して送風することで操作表示部の過昇温を抑制する画像形成装置を開示する。また、特許文献２は、外気を取り込み定着後の記録材にエアーを吹き付けるダクトを形成し、そのダクトにファンを配置し、ファンを境にダクトを吸入側と排出側とした時、制御基板の少なくとも一部を吸入側に配置することで制御基板を冷却する画像形成装置を開示する。
【０００３】
【特許文献１】特開２００６−３４３３９３号公報
【特許文献２】特開２００６−０７２２００号公報
【発明の開示】
【発明が解決しようとする課題】
【０００４】
本発明の目的は、制御部が設けられた空間に滞留する熱を装置外部に排出することができる電子装置及び画像形成装置を提供することにある。
【課題を解決するための手段】
【０００５】
上記目的を達成するために、請求項１に係る本発明は、装置の状態を少なくとも表示する表示部と、この表示部の裏面側にあって前記表示部の表示を制御する制御部と、熱源と、前記制御部と前記熱源とを遮蔽する遮蔽部と、前記制御部と前記遮蔽部とにより形成される空間に接続され、前記制御部に装置外部の空気が流入出可能に形成された開口部と、を有する電子装置である。
【０００６】
請求項２に係る本発明は、前記表示部の裏面側及び前記遮蔽部の表面側の少なくとも一方には、他方に向けて突出する突出部が設けられている請求項1記載の電子装置である。
【０００７】
請求項３に係る本発明は、前記突出部は、前記開口部に対して斜めに形成されている請求項２記載の電子装置である。
【０００８】
請求項４に係る本発明は、前記表示部の裏面側及び前記遮蔽部の表面側の少なくとも一方には、除電布が設けられている請求項1記載の電子装置である。
【０００９】
請求項５に係る本発明は、前記除電布は、接地されている請求項４記載の電子装置である。
【００１０】
請求項６に係る本発明は、前記開口部は、重力方向下向きに開口している請求項１乃至５いずれか記載の電子装置である。
【００１１】
請求項７に係る本発明は、装置の状態を少なくとも表示する表示部と、この表示部の裏面側にあって前記表示部の表示を制御する制御部と、少なくとも加熱部からなる定着装置と、前記制御部と前記定着装置とを遮蔽する遮蔽部と、前記制御部と前記遮蔽部とにより形成される空間に接続され、前記制御部に装置外部の空気が流入出可能に形成された開口部と、を有する画像形成装置である。
【発明の効果】
【００１２】
請求項１に係る本発明によれば、制御部が設けられた空間に滞留する熱を装置外部に排出することができる。
【００１３】
請求項２に係る本発明によれば、請求項１に係る本発明の効果に加えて、本構成を有していない場合に比較して、静電気による制御部の故障を防止しつつ、自然空冷することができる。
【００１４】
請求項３に係る本発明によれば、請求項２に係る本発明の効果に加えて、本構成を有していない場合に比較して、静電気の除電効果を高めることができる。
【００１５】
請求項４に係る本発明によれば、請求項１に係る本発明の効果に加えて、静電気による制御部の故障を防止することができる。
【００１６】
請求項５に係る本発明によれば、請求項４に係る本発明の効果に加えて、本構成を有していない場合に比較して、静電気の除電効果を高めることができる。
【００１７】
請求項６に係る本発明によれば、請求項１乃至５いずれかに係る本発明の効果に加えて、開口部が重力方向下向きに開口していない構成に比べて、埃等の流入を低減することができる。
【００１８】
請求項７に係る本発明によれば、制御部が設けられた空間に滞留する熱を装置外部に排出することができる。
【発明を実施するための最良の形態】
【００１９】
次に本発明の実施形態を図面に基づいて説明する。
図１及び図２において、本発明の実施形態に係る電子装置の一例である画像形成装置１０の概要が示されている。この画像形成装置１０は、画像形成装置本体１２を有し、この画像形成装置本体１２内に画像形成部１４と、画像形成部１４にシートを供給するシート供給装置１６と、電源ユニット１８と、ＣＰＵなどを有する制御部２０とが配設されている。制御部２０は、画像形成装置１０を構成する各部を制御する。また、画像形成装置本体１２の上部に画像形成がなされたシートが排出されるシート排出部２２が設けられている。
【００２０】
画像形成部１４は、カラー画像を形成する電子写真方式のもので、トナー像を保持する像保持体２４Ｙ、２４Ｍ、２４Ｃ、２４Ｂと、この各像保持体２４Ｙ、２４Ｍ、２４Ｃ、２４Ｂを一様に帯電する帯電ロールを備えた帯電装置２５Ｙ、２５Ｍ、２５Ｃ、２５Ｂと、各像保持体２４Ｙ、２４Ｍ、２４Ｃ、２４Ｂに光により静電潜像を書き込む光書き込み装置２６Ｙ、２６Ｍ、２６Ｃ、２６Ｂと、各像保持体２４Ｙ、２４Ｍ、２４Ｃ、２４Ｂに書き込まれた潜像を非磁性のトナーと磁性のキャリアとからなる二成分系の現像剤を用いて現像する現像器２８Ｙ、２８Ｍ、２８Ｃ、２８Ｂと、各像保持体２４Ｙ、２４Ｍ、２４Ｃ、２４Ｂに形成されたトナー像をシートに転写する転写ユニット２９と、転写ユニット２９によるトナー像の転写がなされた後に像保持体２４Ｙ、２４Ｍ、２４Ｃ、２４Ｂに残留する廃トナーを例えば掻き取って（剥離して）回収するクリーニング装置３０Ｙ、３０Ｍ、３０Ｃ、３０Ｂとを有する。
【００２１】
光書き込み装置２６Ｙ、２６Ｍ、２６Ｃ、２６Ｂは、それぞれレーザ露光装置からなり、光書き込み装置２６Ｙは像保持体２４Ｙにイエロー画像に対応するレーザ光を、光書き込み装置２６Ｍは像保持体２４Ｍにマゼンダ画像に対応するレーザ光を、光書き込み装置２６Ｃは像保持体２４Ｃにシアン画像に対応するレーザ光を、光書き込み装置２６Ｂは像保持体２４Ｂにブラック画像に対応するレーザ光をそれぞれ発し、像保持体２４Ｙ、２４Ｍ、２４Ｃ、２４Ｂに、それぞれ静電潜像を書き込むようになっている。
【００２２】
転写ユニット２９は、像形成ユニット３２の像保持体２４Ｙ、２４Ｍ、２４Ｃ、２４Ｂと接触するように配置されている。この転写ユニット２９は、ユニットとして一体化されていて二つの支持ロール４４ａ、４４ｂと、シート又はトナー像を搬送する搬送ベルト４６と、この搬送ベルト４６にシートを吸着させる吸着ロール４８と、搬送ベルト４６により搬送中のシートに、各像保持体２４Ｙ、２４Ｍ、２４Ｃ、２４Ｂに形成されたトナー像をそれぞれ転写する転写ロール５０Ｙ、５０Ｍ、５０Ｃ、５０Ｂとが装着されてなる。
【００２３】
吸着ロール４８は、搬送ベルト４６を介して支持ロール４４ａに圧接する状態で設けられ、電源ユニット１８から電圧が印加されて搬送ベルト４６に静電的にシートを吸着させるようになっている。
【００２４】
転写ロール５０Ｙ、５０Ｍ、５０Ｃ、５０Ｂは、それぞれ転写バイアスが印加されており、像保持体２４Ｙ、２４Ｍ、２４Ｃ、２４Ｂに形成されたトナー像を、搬送ベルト４６によって搬送中のシートへ順に転写し、シートにイエロー、マゼンダ、ブラック、シアンの４色のトナー像が重ねられたカラートナー像を形成するようになっている。
【００２５】
画像形成装置本体１２内の上部には、転写ユニット２９によりシートに転写されたトナー像をシートへと定着する定着装置５２が設けられている。定着装置５２は、加熱ロール５２ａと加圧ロール５２ｂとからなり、加熱ロール５２ａと加圧ロール５２ｂとの間を通過するシートを加熱し加圧することで、シートにトナー像を定着するようになっている。
【００２６】
また、画像形成装置本体１２内には、シート供給装置１６から供給されたシートをシート排出部２２まで搬送する搬送路６０が設けられていて、この搬送路６０に沿って、シート搬送方向上流側から順に、レジストロール６２、転写ユニット２９、定着装置５２及び排出ロール６４が配置されている。排出ロール６４は、定着装置５２から搬送されたシートをシート排出部２２へと排出する。
【００２７】
画像形成装置本体１２の正面から上面にかけて（図１において左側）開閉カバー６５が装着されている。
開閉カバー６５は、装置本体１２の正面下部に設けられたヒンジ６７を軸に開閉でき、開閉カバー６５を閉めることで、装置本体１２内を密閉するようになっている。
【００２８】
開閉カバー６５の上面から正面にかけて（図１において上側）コントロールパネルカバー６６に覆われている。
コントロールパネルカバー６６の表面には表示部７１が設けられている。
表示部７１は、画像形成装置１０の状態を表示する。
この表示部７１の裏面側に対応するコントロールパネルカバー６６の裏面には、表示部７１の表示を制御する制御部である制御基板７２が設けられている。
【００２９】
図３は制御基板７２周辺の詳細を示す断面図である。
【００３０】
コントロールパネルカバー６６は、開閉カバー６５の上方から正面にかけてオーバーラップして装着されている。
したがって、装置本体１２の正面側（図３において左側）の開閉カバー６５とコントロールパネルカバー６６の端部の間には、外気が流入出する開口部６８が形成される。
開口部６８は、重力方向下向きに形成され、装置本体正面からは視認しにくいようになっている。
また、開口部６８は、例えば人の指（直径５．６ｍｍ程度）が入らない大きさとする。
【００３１】
コントロールパネルカバー６６の裏面に設けられた制御基板７２と開閉カバー６５の表面の空間には、コントロールパネルカバー６６の裏面、開閉カバー６５の表面及び開口部６８からなる隙間７０が形成されている。すなわち、制御基板７２と熱源である定着装置５２は、開閉カバー６５によって遮蔽され、定着装置５２とは別の空間に配置されている。
【００３２】
また、開口部６８は、隙間７０に連通し、隙間７０内に外部からの空気が流入出するように形成されている。したがって、隙間７０は、開口部６８から流入する空気の空気流入経路であり、開口部６８から流出する空気の空気流出経路となっている。
すなわち、本発明の実施形態では、制御基板７２と熱源である定着装置５２とを遮蔽し、制御基板７２と遮蔽部である開閉カバー６５の間に空気流入出経路である隙間７０を設け、隙間７０内に制御基板７２を設けることで、制御基板７２を自然空冷している。
【００３３】
図４は、第２の実施形態に係る画像形成装置１０のコントロールパネルカバー６６周辺を示し、（ａ）は装置正面の概略構成図であり、（ｂ）は装置側面断面図の第１の具体例であり、（ｃ）は装置側面断面図の第２の具体例である。
図４（ｂ）に示すように、第１の具体例では、隙間７０内の開口部６８と制御基板７２の間のコントロールパネルカバー６６の裏面側に、開閉カバー６５側に向けて突出する突出部である例えばリブ７４を複数形成する。開口部６８と制御基板７２の間の空気流入出経路にリブを形成することで静電気の進行方向を変更させることができる。また、リブ７４は、開口部６８に対して斜めに形成するとよい。リブ７４を斜めに形成することで、静電気の沿面距離を長くして静電気を制御基板７２に届かないようにし、静電気力を弱めることができる。すなわち、静電気による基板の故障を防止することができる。
また、図４（ｃ）の第２の具体例に示すように、隙間７０内の開口部６８と制御基板７２の間の開閉カバー６５の表面側に、コントロールパネルカバー６６側に向けて突出するリブ７４を複数形成してもよい。開閉カバー６５側の空気流入出経路にリブを形成しても静電気の進行方向を変更させることができ、さらにリブ７４を開口部６８に対して斜めに形成することで、静電気の沿面距離を長くして静電気を制御基板７２に届かないようにし、静電気力を弱めることができ、上述の第1の具体例と同様の効果が得られる。
さらに、上述の図４（ｂ）と図４（ｃ）を組み合わせて、隙間７０内のコントロールパネルカバー６６の裏面側及び開閉カバー６５の表面側の双方に、他方に向けて突出するリブ７４を複数形成しても、上述と同様の効果を得ることができる。
また、人の指（直径５．６ｍｍ程度）が入らない間隔でリブ７４を複数設けることで、開口部６８を例えば人の指（直径５．６ｍｍ程度）以上にする場合にであっても、開口部６８から人の指が入ることを防止することができる。
【００３４】
図５は、第３の実施形態に係る画像形成装置１０のコントロールパネルカバー６６周辺を示し、（ａ）は装置正面の概略構成図であり、（ｂ）は装置側面断面図の第３の具体例であり、（ｃ）は装置側面断面図の第４の具体例である。
図５（ｂ）に示すように、第３の具体例では、隙間７０内の開口部６８と制御基板７２の間のコントロールパネルカバー６６の裏面側に除電布７６を設ける。開口部６８と制御基板７２の間の空気流入出経路に静電気を除電する除電布を設けることで、制御基板７２に届く前に静電気を除電し、静電気による基板の故障を防止することができる。
また、図５（ｃ）の第４の具体例に示すように、隙間７０内の開口部６８と制御基板７２の間の開閉カバー６５の表面側に除電布７６を設けてもよい。開閉カバー６５側の空気流入出経路に除電布７６を設けても、上述の第３の具体例と同様に、制御基板７２に届く前に静電気を除電し、静電気による基板の故障を防止することができる。
さらに、上述の図５（ｂ）と図５（ｃ）を組み合わせて、隙間７０内のコントロールパネルカバー６６の裏面側及び開閉カバー６５の表面側の双方に除電布７６を設けても、上述と同様の効果を得ることができる。
また、除電布７６は、接地するとよい（不図示）。除電布７６を接地することで静電気の除電効果をさらに高めることができる。
【００３５】
なお、本発明は、複写機、ファクシミリ装置、プリンタ等の画像形成装置及び電子装置に適用することができる。
【図面の簡単な説明】
【００３６】
【図１】本発明の実施形態に係る画像形成装置の概要を示す側面からみた断面図である。
【図２】本発明の実施形態に係る画像形成装置を示す斜視図である。
【図３】本発明の実施形態に係る制御基板周辺を示す側面からみた断面図である。
【図４】本発明の第２の実施形態に係る画像形成装置のコントロールパネルカバー周辺を示し、（ａ）は装置正面の概略構成図であり、（ｂ）は第１の具体例に係る装置側面断面図であり、（ｃ）は第２の具体例に係る装置側面断面図である。
【図５】本発明の第３の実施形態に係る画像形成装置のコントロールパネルカバー周辺を示し、（ａ）は装置正面の概略構成図であり、（ｂ）は第３の具体例に係る装置側面断面図であり、（ｃ）は第４の具体例に係る装置側面断面図である。
【符号の説明】
【００３７】
１０    画像形成装置
１２    画像形成装置本体
２２    シート排出部
５２    定着装置
５２ａ  加熱ロール
５２ｂ  加圧ロール
６４    排出ロール
６５    開閉カバー
６６    コントロールパネルカバー
６８    開口部
７０    隙間
７１    表示部
７２    制御基板
７４    リブ
７６    除電布
【図１】
2010139829.tif 000003
【図２】
2010139829.tif 000004
【図３】
2010139829.tif 000005
【図４】
2010139829.tif 000006
【図５】
2010139829.tif 000007